(57)【特許請求の範囲】
【請求項１】
第１の板状体と、
前記第１の板状体に回動可能に取付けられる第２の板状体と、を備えており、
前記第１の板状体に対して前記第２の板状体が折り畳まれた折り畳み状態と、前記第１の板状体に対して前記第２の板状体が展開された展開状態とに切り替え可能に構成されており、
前記第１の板状体には、前記第２の板状体側の縁にピンを回転可能に支持する第１軸受け部が形成されており、
前記第２の板状体には、前記第１の板状体側の縁に前記ピンを回転可能に支持する第２軸受け部が形成されており、
前記ピンの一端が前記第１軸受け部に挿入され、前記ピンの他端が前記第２軸受け部に挿入されることで、前記第１の板状体が前記第２の板状体に対して回動可能となっており、
前記第１軸受け部の前記第２軸受け側の端部には、前記第２軸受け側に突出する第１突出片が形成されており、
前記第２軸受け部の前記第１軸受け側の端部には、前記第１軸受け側に突出する第２突出片が形成されており、
前記折り畳み状態では、前記第１の板状体と前記第２の板状体とが当接して前記第１の板状体に対する前記第２の板状体の折り畳み方向の回動が規制され、
前記展開状態では、前記第１突出片と前記第２突出片とが当接して前記第１の板状体に対する前記第２の板状体の展開方向の回動が規制され、
前記展開状態では、前記第１の板状体の表面と前記第２の板状体の表面とが面一となっている、板状物品。
【請求項２】
前記第１軸受け部は、前記第１の板状体の前記第２の板状体側の縁を曲げ加工することで形成されており、
前記第２軸受け部は、前記第２の板状体の前記第１の板状体側の縁を曲げ加工することで形成されている、請求項１に記載の板状物品。
【請求項３】
前記第１の板状体の前記第２の板状体側の縁の両端部には、前記第１軸受け部がそれぞれ形成されており、
前記第２の板状体の前記第１の板状体側の縁の両端部には、前記第２軸受け部が形成されており、
前記第１の板状体の前記第２の板状体側の縁の一方の端部では、前記第１軸受け部と前記第２軸受け部に第１のピンが挿入されており、
前記第１の板状体の前記第２の板状体側の縁の他方の端部では、前記第１軸受け部と前記第２軸受け部に第２のピンが挿入されており、
前記第１の板状体の前記第２の板状体側の縁の両端部において、前記第２の板状体が回動可能に取付けられている、請求項１又は２に記載の板状物品。
【請求項４】
前記展開状態では、前記第１の板状体と前記第２の板状体とで構成される平面の中心に貫通孔が形成されるように、前記第１の板状体の前記第２の板状体側の縁の中央と、前記第２の板状体の前記第１の板状体側の縁の中央が切り欠かれており、
前記展開状態の前記第１の板状体と前記第２の板状体によって、アウトドア用コンロの五徳カバーが形成される、請求項２に記載の板状物品。
【発明の詳細な説明】
【技術分野】
【０００１】
本明細書に開示する技術は、板状物品（例えば、コンロの五徳カバー等）に関する。詳しくは、保管時や運搬時等には折り畳んだ状態とすることができ、使用時には展開した状態とすることができる板状物品に関する。
【背景技術】
【０００２】
板状物品としては、例えば、コンロの五徳の汚れ防止等のために用いられる五徳カバーが知られている。特許文献１には、従来例に係る五徳カバーが開示されている。この五徳カバーは、五徳の形状に合わせて成形された板状体を備えている。板状体は、五徳の支持片（鍋などを載せる部分）の形状に合わせて一部が打ち抜かれている。使用時においては打ち抜かれた部分に五徳の支持片が差し込まれ、これによって五徳カバー（板状体）が五徳に固定される。五徳カバーによって五徳の本体部がカバーされるため、五徳の本体部の汚れ（例えば、鍋の吹きこぼれ等による汚れ）が防止される。
【先行技術文献】
【特許文献】
【０００３】
【特許文献１】特開平８−１４５８４号公報
【発明の概要】
【発明が解決しようとする課題】
【０００４】
板状物品の中には、使用しないときは保管場所に保管しておき、使用するときに使用場所まで運搬して使用されるものがある。例えば、アウトドア用コンロに用いられる五徳カバーは、通常時は物置等に保管しておき、キャンプやバーベキューを行うときにキャンプ場等まで運搬して使用される。特許文献１の五徳カバーは、アウトドア用の用途を想定しておらず、１枚の板状体から構成されていた。このため、運搬時に嵩張り、取り扱い難いという問題を有していた。
【０００５】
本明細書は、２枚の板状体を折り畳まれた状態と展開された状態とに切り替え可能とすることによって、運搬時等に嵩張ることを抑制することができる板状物品を開示する。
【課題を解決するための手段】
【０００６】
本明細書に開示する板状物品は、第１の板状体と、第１の板状体に回動可能に取付けられる第２の板状体と、を備えている。そして、第１の板状体に対して第２の板状体が折り畳まれた折り畳み状態と、第１の板状体に対して第２の板状体が展開された展開状態とに切り替え可能に構成されている。第１の板状体には、第２の板状体側の縁にピンを回転可能に支持する第１軸受け部が形成されている。第２の板状体には、第１の板状体側の縁にピンを回転可能に支持する第２軸受け部が形成されている。ピンの一端が第１軸受け部に挿入され、ピンの他端が第２軸受け部に挿入されることで、第１の板状体が第２の板状体に対して回動可能となっている。第１軸受け部の第２軸受け側の端部には、第２軸受け側に突出する第１突出片が形成されている。第２軸受け部の第１軸受け側の端部には、第１軸受け側に突出する第２突出片が形成されている。折り畳み状態では、第１の板状体と第２の板状体とが当接して、第１の板状体に対する第２の板状体の折り畳み方向の回動が規制される。展開状態では、第１突出片と第２突出片とが当接して、第１の板状体に対する第２の板状体の展開方向の回動が規制される。展開状態では、第１の板状体の表面と第２の板状体の表面とが面一となっている。
【０００７】
上記の板状物品では、第１の板状体の縁に第２の板状体が回動可能に取付けられており、第１の板状体に対して第２の板状体が折り畳まれた折り畳み状態と、第１の板状体に対して第２の板状体が展開された展開状態とに切り替えられる。このため、運搬時等においては折り畳み状態とし、板状物品が嵩張ることを抑制することができる。また、展開状態においては、第１軸受け部に形成された第1突出片と第２軸受け部に形成された第２突出片とが当接することで、第１の板状体に対する第２の板状体の展開方向の回動を規制する。これによって、第１の板状体と第２の板状体は、展開状態を安定して維持することができる。第１、第２軸受け部に第１突出片と第２突出片を形成するだけなので、第１の板状体の表面と第２の板状体の表面とを面一とすることができ、第１の板状体と第２の板状体とを１枚の板状体として扱うことができる。
【図面の簡単な説明】
【０００８】
【図１】実施例に係る五徳カバーの展開状態を示す正面図。
【図２】実施例に係る五徳カバーの折り畳み状態を示す図。
【図３】図２に示す状態の五徳カバーを上方から見た図。
【図４】第１軸受け部２２ａと第２軸受け部３２ａを拡大して示す斜視図。
【図５】第１軸受け部２２ａを拡大して示す正面図（図５（ａ））及び図５（ａ）に示される状態のときの底面図（図５（ｂ））。
【発明を実施するための形態】
【０００９】
（特徴１）本明細書が開示する板状物品では、第１軸受け部は、第１の板状体の第２の板状体側の縁を曲げ加工することで形成されていてもよい。第２軸受け部は、第２の板状体の第１の板状体側の縁を曲げ加工することで形成されていてもよい。このような構成によると、板状体の縁を曲げ加工するだけなので、省スペース化を図ることができ、また、コストの増加を抑えることもできる。
【００１０】
（特徴２）本明細書が開示する板状物品では、第１の板状体の第２の板状体側の縁の両端部には、第１軸受け部がそれぞれ形成されていてもよい。第２の板状体の第１の板状体側の縁の両端部には、第２軸受け部が形成されていてもよい。第１の板状体の第２の板状体側の縁の一方の端部では、第１軸受け部と第２軸受け部に第１のピンが挿入されていてもよい。第１の板状体の第２の板状体側の縁の他方の端部では、第１軸受け部と第２軸受け部に第２のピンが挿入されていてもよい。そして、第１の板状体の第２の板状体側の縁の両端部において、第２の板状体が回動可能に取付けられていてもよい。このような構成によると、第１の板状体に対して第２の板状体を安定した状態で回動可能に取付けることができる。
【００１１】
（特徴３）本明細書が開示する板状部品では、展開状態では、第１の板状体と第２の板状体とで構成される平面の中心に貫通孔が形成されるように、第１の板状体の第２の板状体側の縁の中央と、第２の板状体の第１の板状体側の縁の中央が切り欠かれていてもよい。展開状態の第１の板状体と第２の板状体によって、アウトドア用コンロの五徳カバーが形成されていてもよい。このような構成によると、第１の板状体と第２の板状体とで構成される平面の中心に貫通孔が形成されるため、この貫通孔を利用して五徳に対して板状物品を設置することができる。
【実施例】
【００１２】
以下、本実施例に係る板状物品について説明する。本実施例に係る板状物品は、アウトドア用コンロに用いられる五徳カバー１０である。図１〜５に示すように、五徳カバー１０は、第１金属板２０と、第２金属板３０と、連結ピン４０ａ，４０ｂ（図２，３，４等で図示）を備えている。なお、以下の説明において、上下左右というときの方向は、図１における上下左右の方向を意味する。
【００１３】
第１金属板２０は、平面視すると略方形状の鋼製の板材である。図１において、第１金属板２０の上辺（上側の縁）には、その両端の角部が面取りされることでコーナ部２１ａ，２１ｂが形成されている。第１金属板２０の下辺（図１の下側の縁）の中央には、切り欠き部２８が形成されている。切り欠き部２８は、中央に位置する半円部２６と、半円部２６から径方向外側に伸びる２本のスリット部２７を備えている。半円部２６は、図示しないアウトドア用コンロのバーナーに対応した形状を有している。スリット部２７は、同じく図示しないアウトドア用コンロの五徳の支持片（鍋等を載置する部分）に対応する形状を有している。
【００１４】
さらに、第１金属板２０の下辺には、第１軸受け部２２ａ，２２ｂと第１突出片２４ａ，２４ｂが形成されている。第１軸受け部２２ａは、第１軸受け部２２ｂと同一の構造を有しており、第１突出片２４ａは、第１突出片２４ｂと同一の構造を有している。第１軸受け部２２ａ，２２ｂは、半円部２６の左右両側の隣接した位置に設けられている。第１軸受け部２２ａ，２２ｂは、第１金属板２０の下辺の部分を曲げ加工することで形成されている。すなわち、第１金属板２０と第１軸受け部２２ａ，２２ｂは一体に成形されている。図４に示すように、第１軸受け部２２ａ（２２ｂ）には貫通孔２３ａ（２３ｂ）が形成されている。貫通孔２３ａ（２３ｂ）には、連結ピン４０ａ（４０ｂ）の一端がそれぞれ挿入されている（図４等参照）。連結ピン４０ａ，４０ｂは、貫通孔２３ａ，２３ｂに回転可能に保持されている。なお、第２軸受け部２２ａ，２２ｂの半円部２６側の端部はカシメられており、連結ピン４０ａ、４０ｂが貫通孔２３ａ，２３ｂから脱落することが防止されている。
【００１５】
第１軸受け部２２ａ，２２ｂの半円部２６と反対側の端部（すなわち、後述する第２軸受け部３２ａ，３２ｂ側）には、第２軸受け３２ａ，３２ｂ側に突出する第１突出片２４ａ，２４ｂが形成されている。第１突出片２４ａ，２４ｂの左右方向の寸法は、第１軸受け部２２ａ（又は２２ｂ）から第２軸受け部３２ａ（又は３２ｂ）までの距離と略同一となっている。第１突出片２４ａ，２４ｂの上下方向の寸法は、第１軸受け部２２ａ，２２ｂの径方向の寸法の約１／２となっている。第１突出片２４ａ，２４ｂは、第１金属板２０の下辺（下側の縁）側に位置しており、第１金属板２０と一体に成形されている。したがって、第１金属板２０の上面と、第１突出片２４ａ，２４ｂの上面は、連続した一つの平面を形成している。
【００１６】
第２金属板３０は、第１金属板２０と略同一の構成を備えており、平面視すると略方形状の鋼製の板材である。第２金属板２０の下辺（図１の下側の縁）の両端部には、第１金属板２０と同様にコーナ部３１ａ，３１ｂが形成されている。第２金属板３０の上辺（図１の上側の縁）の中央には、切り欠き部３８が形成されている。切り欠き部３８は、中央に位置する半円部３６と、半円部３６から径方向外側に伸びる２本のスリット部３７を備えている。半円部３６は半円部２６と線対象の位置にあり、スリット部３７はスリット部２７と線対象の位置にある。
【００１７】
第２金属板３０の上辺には、第２軸受け部３２ａ，３２ｂと第２突出片３４ａ，３４ｂが形成されている。第２軸受け部３２ａは、第２軸受け部３２ｂと同一の構造を有しており、第２突出片３４ａは、第２突出片３４ｂと同一の構造を有している。第２軸受け部３２ａ，３２ｂは、第２金属板３０の上辺の両端部に位置し、半円部３６から所定の距離だけ離間した位置に設けられている。第２軸受け部３２ａ，３２ｂは、第２金属板３０と一体に成形されており、第２金属板３０の一部を曲げ加工することで形成されている。図４に示すように、第２軸受け部３２ａ（３２ｂ）には貫通孔３３ａ（３３ｂ）が形成されている。貫通孔３３ａ（３３ｂ）には、連結ピン４０ａ（４０ｂ）の他端がそれぞれ挿入されている（図４等参照）。連結ピン４０ａ，４０ｂは、貫通孔３３ａ，３３ｂに回転可能に保持されている。また、第２軸受け部３２ａ，３２ｂの径方向外側の端部はカシメられており、連結ピン４０ａ、４０ｂが貫通孔３３ａ、３３ｂから脱落することが防止されている。
【００１８】
第２軸受け部３２ａ，３２ｂの半円部３６側の端部（すなわち、第１軸受け部２２ａ，２２ｂ側）には、第１軸受け２２ａ，２２ｂ側に突出する第２突出片３４ａ，３４ｂが形成されている。第２突出片３４ａ，３４ｂの寸法は、第１突出片２２ａ，２２ｂの寸法と同一となっている。第２突出片３４ａ，３４ｂは、第２金属板３０の上辺（上側の縁）側に位置しており、第２金属板３０と一体に成形されている。したがって、第２金属板３０の上面と、第２突出片３４ａ，３４ｂの上面は、連続した一つの平面を形成している。
【００１９】
上述したように、連結ピン３０ａ（３０ｂ）の一端は第１軸受け部２２ａ（２２ｂ）に挿入され、連結ピン３０ａ（３０ｂ）の他端は第２軸受け部３２ａ（３２ｂ）に挿入されている。連結ピン３０ａ，３０ｂは、第１軸受け部２２ａ，２２ｂ及び第２軸受け部３２ａ，３２ｂに回転可能となっていることから、第２金属板３０は第１金属板２０に対して回動可能となっている。第１軸受け部２２ａ，２２ｂ及び第２軸受け部３２ａ，３２ｂが半円部２６，３６の両側に設けられていることから、第２金属板３０は第１金属板２０に対して半円部２６，３６の両側２か所において回動可能に取付けられている。これによって、本実施例の五徳カバー１０は、第１金属板２０に対して第２金属板３０が折り畳まれた折り畳み状態（図２に示す状態）と、第１金属板２０に対して第２金属板３０が展開された展開状態（図１に示す状態）とに切り替え可能となっている。
【００２０】
図１から明らかなように、第１金属板２０と第２金属板３０は、軸受け部２２，３２を除いて回動軸に対して対称な形状を有している。このため、図２，３に示すように、折り畳み状態では、第１金属板２０の上辺（上側の縁）と第２金属板３０の下辺（下側の縁）とが当接し、第１金属板２０に対する第２金属板３０の折り畳み方向の回動が規制されている。
【００２１】
一方、図１から明らかなように、展開状態では、第１軸受け部２２ａ，２２ｂの第１突出片２４ａ、２４ｂの端面と、第２軸受け部３２ａ，３２ｂの第２突出片３４ａ，３４ｂの端面とが当接し、第１金属板２０に対する第２金属体３０の展開方向の回動が規制される。また、展開状態では、第１金属板２０の上面と第２金属板３０の上面とが面一となっており、第１金属板２０と第２金属板３０とで段差の無い平面が形成されている。なお、第１金属板２０の上面と第１突出片２４ａ、２４ｂの上面が連続しており、第２金属板３０の上面と第２突出片３４ａ、３４ｂの上面が連続しているため、第１突出片２４ａ，２４ｂと第２突出片３４ａ，３４ｂの上面も連続し、第１金属板２０、第１突出片２４ａ，２４ｂ、第２金属板３０及び第２突出片３４ａ，３４ｂによって段差の無い平面が形成される。
【００２２】
また、第１金属板２０の切り欠き部２８と第２金属板３０の切り欠き部３８とが回動軸に対して対称な形状を有しているため、第１金属板２０と第２金属板３０とで形成される平面の中央に円形状の貫通孔（２６，３６）が形成され、その貫通孔（２６，３６）から放射状に伸びる４本のスリット部（２７，３７）が形成されている。したがって、五徳カバー１０として使用するときは、五徳カバー１０を展開状態とし、アウトドア用コンロのバーナーの部分が貫通孔（２６，３７）に嵌り、アウトドア用コンロの五徳の支持片が４本のスリット（２７，３７）に嵌るように、五徳カバー１０をアウトドア用コンロに取付ける。これによって、アウトドア用コンロの五徳の本体部を汚れから防止することができる。この際、展開状態では第１金属板２０に対する第２金属体３０の展開方向の回動が規制され、４本のスリット部（２７，３７）に五徳の支持片が嵌るため、五徳カバー１０を安定してアウトドア用コンロに取付けることができる。
【００２３】
本実施例の五徳カバー１０では、第１金属板２０に対して第２金属板３０が折り畳まれた折り畳み状態（図２に示す状態）と、第１金属板２０に対して第２金属板３０が展開された展開状態（図１に示す状態）とに切り替え可能となっている。このため、保管時や運搬時には折り畳み状態とすることで、五徳カバー１０が嵩張ることが抑制され、容易に取り扱うことができる。また、使用時には展開状態とすることで、出っ張りの無い１枚の板材となるため、汚れを落とす清掃作業を容易に行うことができる。
【００２４】
なお、本実施例では、板状物品として五徳カバー１０を開示したが、本明細書に開示の技術（すなわち、軸受け部及び突出片の構成）は、種々の板状物品に適用することができる。例えば、キャンプ用のテントや、侵入防止やペットが入れないようにする柵に、本明細書に開示の技術を適用することができる。
【００２５】
以上、本明細書に開示の技術の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。
【符号の説明】
【００２６】
１０：五徳カバー
２０：第１金属板
２１ａ，２１ｂ：コーナ部
２２ａ，２２ｂ：第１軸受け部
２４ａ，２４ｂ：第１突出片
２６：半円部
２７：スリット部
２８：除去部
３０：第２金属板
３１ａ，３１ｂ：コーナ部
３２ａ，３２ｂ：第２軸受け部
３４ａ，３４ｂ：第２突出片
３６：半円部
３７：スリット部
３８：除去部
４０ａ，４０ｂ：連結ピン
【図１】
0006980307.tif 000002
【図２】
0006980307.tif 000003
【図３】
0006980307.tif 000004
【図４】
0006980307.tif 000005
【図５】
0006980307.tif 000006